(57)【要約】      （修正有）【課題】貯留タンク内に貯溜された液体の外部への漏洩を効果的に防止することを可能とする携帯型噴霧装置を提供する。【解決手段】ケース本体１０の背面側において上下方向にスライド可能に取り付けられ、スライド移動によりタンク収納室１３を開閉するスライドカバー１１と、液体タンク１３の上部に形成された液体注入口３１と、スライドカバー１１の内壁面に設けられ、液体注入口３１に挿入されることにより当該液体注入口３１を閉塞する弾性栓４１とを備え、弾性栓４１は、スライドカバー１１のスライド移動により液体注入口３１に対して抜き差し可能とされていることを特徴とする。【選択図】図３
0003169921.tif 000002
【実用新案登録請求の範囲】
【請求項１】
ケース本体と、前記ケース本体の背面側に設けられたタンク収納室と、前記タンク収納室内に設けられた液体タンクとを備え、前記液体タンク内に貯留された液体を前記ケース本体のミスト噴霧口から外部に噴霧可能な携帯型噴霧装置において、
前記ケース本体の背面側において上下方向にスライド可能に取り付けられ、スライド移動により前記タンク収納室を開閉するスライドカバーと、
前記液体タンクの上部に形成された液体注入口と、
前記スライドカバーの内壁面に設けられ、前記液体注入口に挿入されることにより当該液体注入口を閉塞する弾性栓とを備え、
前記弾性栓は、前記スライドカバーのスライド移動により前記液体注入口に対して抜き差し可能とされていること
を特徴とする携帯型噴霧装置。
【請求項２】
前記スライドカバーは、その上側へのスライド移動により前記ケース本体に係合されるストッパ片を有し、前記ケース本体に対して当該ストッパ片が係合位置にあるときに、当該ストッパ片を回動軸としてその背面側に回動可能に構成されていること
を特徴とする請求項１記載の携帯型噴霧装置。
【請求項３】
前記弾性栓は、その先端側に向かうにつれて先細り状に形成されるテーパー状外周面を有すること
を特徴とする請求項１又は２記載の携帯型噴霧装置。
【請求項４】
前記ケース本体は、前記タンク収納室に対して前記スライドカバーが閉位置にあるときに当該スライドカバーのスライド移動をロック可能とするロック爪を有すること
を特徴とする請求項１〜３の何れか１項記載の携帯型噴霧装置。
【請求項５】
前記タンク収納室内において前記ケース本体の背面に形成された液体供給口と、
前記液体供給口から前記ミスト噴霧口に至るまでの間に設けられた流路と、
前記流路途中に配設された超音波振動板とを備え、
前記液体タンクは、その下部に形成された液体吐出口が前記液体供給口に着脱可能に接続され、
前記超音波振動板は、前記液体供給口から前記流路を通ってその片面側にまで流れてきた液体を超音波振動によりミスト化するとともに、板厚方向に穿孔された複数の細孔を通してそのミスト化された液体を前記ミスト噴霧口から噴霧可能とされていること
を特徴とする請求項１〜４の何れか１項記載の携帯型噴霧装置。
【考案の詳細な説明】
【技術分野】
【０００１】
本考案は、乾燥した皮膚等に美容液等の液体をミスト化して噴霧するための携帯型噴霧装置に関するものである。
【背景技術】
【０００２】
従来より、空気乾燥を原因とする肌荒れ等の問題の解決を目的として、乾燥した皮膚等に美容液等の液体をミスト化して噴霧するための携帯型噴霧装置が提案されている。
【０００３】
図７、図８は、従来の携帯型噴霧装置１０１の一例を示す側面断面図である。従来の携帯型噴霧装置１０１は、ケース本体１１０と、ケース本体１１０の背面側に設けられたタンク収納室１１３と、タンク収納室１１３内に設けられた液体タンク１３０とを備えている。この携帯型噴霧装置１０１では、その液体タンク１３０内に貯留された液体Ｗをケース本体１１０に内蔵された超音波振動板１２１の超音波振動によりミスト化して、ケース本体１１０に設けられたミスト噴霧口１１５から外部に噴霧可能とされている。
【０００４】
この従来の携帯型噴霧装置１０１では、定期的に液体タンク１３０内に液体を補給する必要がある。このため、従来の携帯型噴霧装置１０１は、ケース本体１１０に対してヒンジ部１４２を介して接続されたリアカバー１４０が設けられており、ヒンジ部１４２を回動軸としてリアカバー１４０を回動させることにより、タンク収納室１１３が開閉されるように構成されている。また、従来の携帯型噴霧装置１０１では、リアカバー１４０がタンク収納室１１３に対して閉位置にあるとき、そのリアカバー１４０の回動がロック爪１５０によりロックされている。ロック爪１５０によるリアカバー１４０のロックはロック爪１５０のスライド操作等により解除され、これによってリアカバー１４０がケース本体１１０に対して回動自在の状態となる。
【０００５】
また、従来の携帯型噴霧装置１０１では、液体タンク１３０内に液体Ｗを補給するため、液体タンク１３０の上部に開口１３１が設けられている。この開口１３１は、タンク収納室１１３に対してリアカバー１４０が閉位置にあるときに、リアカバー１４０の内壁面に設けられた弾性材料からなるパッキン１４１が液体タンク１３０の上面に当接することにより閉塞され、これにより、液体タンク１３０内の液体の外部への漏洩が防止されている。
【考案の概要】
【考案が解決しようとする課題】
【０００６】
ところで、従来の携帯型噴霧装置１０１では、携帯時において携帯者の歩行動作に伴う振動等によりロック爪１５０が誤動作を起こしてしまい、リアカバー１４０に対するロック爪１５０によるロックが一時的に解除されてしまう場合がある。ロック爪１５０によるロックが解除されてしまうと、リアカバー１４０がケース本体１１０に対して回動自在の状態となっているため、ケース本体１１０に対してリアカバー１４０が容易に回動動作をしてしまい、その結果、液体タンク１３０内の液体が携帯型噴霧装置１０１の外部に漏洩してしまうという問題点がある。特に、従来の携帯型噴霧装置１０１では、液体タンク１３０の上面にパッキン１４１が当接することにより液体タンク１３０の開口１３１が閉塞される構成とされているため、リアカバー１４０がケース本体１１０に対して若干量の回動動作をするのみで液体が容易に漏洩してしまうという問題点がある。
【０００７】
そこで、本考案は、上述した問題点に鑑みて案出されたものであり、その目的とするところは、貯留タンク内に貯溜された液体の外部への漏洩を効果的に防止することを可能とする携帯型噴霧装置を提供することにある。
【課題を解決するための手段】
【０００８】
本考案者は、上述した課題を解決するために、鋭意検討の結果、下記の携帯型噴霧装置を考案した。
【０００９】
第１考案に係る携帯型噴霧装置は、ケース本体と、前記ケース本体の背面側に設けられたタンク収納室と、前記タンク収納室内に設けられた液体タンクとを備え、前記液体タンク内に貯留された液体を前記ケース本体のミスト噴霧口から外部に噴霧可能な携帯型噴霧装置において、前記ケース本体の背面側において上下方向にスライド可能に取り付けられ、スライド移動により前記タンク収納室を開閉するスライドカバーと、前記液体タンクの上部に形成された液体注入口と、前記スライドカバーの内壁面に設けられ、前記液体注入口に挿入されることにより当該液体注入口を閉塞する弾性栓とを備え、前記弾性栓は、前記スライドカバーのスライド移動により前記液体注入口に対して抜き差し可能とされていることを特徴とする。
【００１０】
第２考案に係る携帯型噴霧装置は、第１考案において、前記スライドカバーは、その上側へのスライド移動により前記ケース本体に係合されるストッパ片を有し、前記ケース本体に対して当該ストッパ片が係合位置にあるときに、当該ストッパ片を回動軸としてその背面側に回動可能に構成されていることを特徴とする。
【００１１】
第３考案に係る携帯型噴霧装置は、第１考案又は第２考案において、前記弾性栓は、その先端側に向かうにつれて先細り状に形成されるテーパー状外周面を有することを特徴とする。
【００１２】
第４考案に係る携帯型噴霧装置は、第１考案〜第３考案の何れかにおいて、前記ケース本体は、前記タンク収納室に対して前記スライドカバーが閉位置にあるときに当該スライドカバーのスライド移動をロック可能とするロック爪を有することを特徴とする。
【００１３】
第５考案に係る携帯型噴霧装置は、第１考案〜第４考案の何れかにおいて、前記タンク収納室内において前記ケース本体の背面に形成された液体供給口と、前記液体供給口から前記ミスト噴霧口に至るまでの間に設けられた流路と、前記流路途中に配設された超音波振動板とを備え、前記液体タンクは、その下部に形成された液体吐出口が前記液体供給口に着脱可能に接続され、前記超音波振動板は、前記液体供給口から前記流路を通ってその片面側にまで流れてきた液体を超音波振動によりミスト化するとともに、板厚方向に穿孔された複数の細孔を通してそのミスト化された液体を前記ミスト噴霧口から噴霧可能とされていることを特徴とする。
【考案の効果】
【００１４】
第１考案〜第５考案によれば、スライドカバーのスライド移動によりタンク収納室を開閉する構成としているので、リアカバーを回動動作することによりタンク収納室を開閉する場合と比較して、タンク収納室の開度を大きくし難い構成となっており、液体タンク内の液体が携帯型噴霧装置の外部に誤動作により漏洩し難くすることが可能となる。また、スライドカバーのスライド移動により液体タンクの液体注入口に対して弾性栓が抜き差し可能とされているので、スライドカバーがケース本体に対して若干量のスライド動作をしたとしても、弾性栓の上下方向長さをある程度長めにしておくことにより、弾性栓による液体注入口に対する開度を小さいままとしておくことができ、液体の漏洩を防止し易くすることが可能となる。
【００１５】
第２考案によれば、タンク収納室に対するスライドカバーの開度が大きくなり、スライドカバーを取り外すことなくタンク収納室の液体注入口から液体を容易に注入することが可能となる。
【００１６】
第３考案によれば、液体注入口に弾性栓が挿入されたときの水密性の向上を図ることが可能となる。
【００１７】
第４考案によれば、タンク収納室を開放するときに、ロック爪のロック解除操作とスライドカバーのスライド操作とを同時に行う必要が生じることになり、携帯時の誤動作によるスライドカバーの開放を効果的に防止することが可能となる。
【図面の簡単な説明】
【００１８】
【図１】（ａ）は第１実施形態に係る携帯型噴霧装置の構成を示す前面図であり、（ｂ）はその携帯型噴霧装置のフロントスライドカバーをスライド移動させた後の状態を示す前面図である。
【図２】第１実施形態に係る携帯型噴霧装置の構成を示す背面図である。
【図３】（ａ）は第１実施形態に係る携帯型噴霧装置の構成を示す側面断面図であり、（ｂ）はその携帯型噴霧装置に設けられた超音波振動板を拡大した構成を示す拡大側面断面図である。
【図４】（ａ）は第１実施形態に係る携帯型噴霧装置のリアスライドカバーをスライド移動させた後の状態を示す側面断面図であり、（ｂ）は（ａ）のＳ１部を拡大した拡大図である。
【図５】（ａ）は図４（ａ）の状態からリアスライドカバーを回動させた後の状態を示す側面断面図であり、（ｂ）は（ａ）のＳ２部を拡大した拡大図である。
【図６】（ａ）は第１実施形態に係る携帯型噴霧装置のリアスライドカバーの構成を示す背面図であり、（ｂ）はそのリアスライドカバーをスライド移動させた後の状態を示す背面図であり、（ｃ）は（ｂ）のＳ３部を拡大した拡大断面図である。
【図７】従来の携帯型噴霧装置の一例を示す側面断面図である。
【図８】従来の携帯型噴霧装置のリアカバーを回動させてタンク収納室を開放した状態を示す側面断面図である。
【考案を実施するための形態】
【００１９】
以下、本考案を適用した携帯型噴霧装置を実施するための形態について、図面を参照しながら詳細に説明する。
【００２０】
本実施形態に係る携帯型噴霧装置１は、図１〜図６に示すように、ケース本体１０と、ケース本体１０の背面側に設けられたタンク収納室１３と、タンク収納室１３内に設けられた液体タンク３０と、ケース本体１０の背面側に取り付けられたリアスライドカバー４０と、ケース本体１０の背面側に着脱可能に取り付けられた電池収納室カバー２７とを備えている。
【００２１】
ケース本体１０は、略平板状の中空構造に形成されるものであり、合成樹脂材料、金属材料等から構成される。ケース本体１０は、その前面１０ａに形成されたミスト噴霧口１５と、タンク収納室１３内においてそのケース本体１０の背面１０ｂに形成された液体供給口１９と、液体供給口１９からミスト噴霧口１５に至るまでの間に設けられた流路１７と、流路１７途中に配設された超音波振動板２１とを備えている。ケース本体１０は、その前面１０ａにおいて、ミスト噴霧口１５を中心としてその径方向に凹凸が設けられており、これにより、同心円状の模様をなすような装飾が施されている。
【００２２】
ケース本体１０は、その前面側において上下方向にスライド自在なフロントスライドカバー１１が取り付けられている。噴霧装置１は、フロントスライドカバー１１がケース本体１０に対してスライドすることにより上下方向に伸縮可能とされている。フロントスライドカバー１１は、噴霧装置１が収縮した状態のときにケース本体の前面１０ａがほぼ全範囲が覆われ、噴霧装置１が伸長した状態のときにケース本体のミスト噴霧口１５が露出するように、そのスライド可能となる範囲が調整されている。
【００２３】
ケース本体１０は、その内壁面１０ｃにおいてミスト噴霧口１５を取り囲むように立設された略環状のパッキン係合片２５が設けられており、そのパッキン係合片２５内に環状パッキン２３が嵌合されている。環状パッキン２３の内周面は、ケース本体１０の流路１７の一部として構成されている。環状パッキン２３は、その内周面に環状溝２３ａが形成されており、環状溝２３ａ内に超音波振動板２１の外周縁を嵌め込むことにより超音波振動板２１がケース本体１０の内部に固定されている。超音波振動板２１は、ケース本体１０の流路１７を遮蔽するように配設されることになる。
【００２４】
ケース本体１０は、タンク収納室１３の下方においてそのケース本体１０の背面に取り付けられたロック爪５０を有している。ロック爪５０の詳細は後述する。
【００２５】
液体タンク３０は、中空構造のボックス状に形成されるものであり、合成樹脂材料、金属材料等から構成される。液体タンク３０は、その上部に液体注入口３１が形成されている。液体注入口３１は、液体タンク３０のタンク上壁面３０ａを貫通するように形成されている。液体タンク３０は、その液体注入口３１から液体Wを注入することにより、その内部に液体Wが貯留される。液体タンク３０内に貯留される液体Ｗは、その成分について特に限定するものではないが、保湿効果、美白効果、しわ改善効果等の美容効果のある成分が含有された水溶液が好適に用いられる。
【００２６】
液体タンク３０は、その下部の前面３０ｂから前側に突出して形成された液体吐出口３３を有している。液体吐出口３３は、ケース本体１０の液体供給口１９に着脱可能に接続されており、第１実施形態においては、環状パッキン２３の背面側の一部を介して液体供給口１９に嵌合されることにより、その液体供給口１９に着脱可能に接続されている。これにより、液体タンク３０内の液体Wが液体吐出口３３からケース本体１０の液体供給口１９に向けて吐き出されることになる。
【００２７】
リアスライドカバー４０は、第１実施形態において、ケース本体１０の上下方向に延びる背面カバー部４０ａと、背面カバー部４０ａの上端から前方に延びる上面カバー部４０ｂとを有している。リアスライドカバー４０は、その内壁面４０ｃにゴム等の弾性材料からなる弾性栓４１が設けられており、第１実施形態においては、上面カバー部４０ｂの内壁面４０ｃに設けられている。背面カバー部４０ａは、第１実施形態において、その下部の内壁面に左右方向に延びるように設けられた係止片４３と、係止片４３の両端部から下方に延びるように設けられた棒状の一対のスライド部４４と、一対のスライド部４４の下部外側面から外側に突出して設けられたストッパ片４５とを有している。
【００２８】
一対のスライド部４４及びストッパ片４５は、タンク収納室１３の底面に形成された切欠部１４内に挿入されている。一対のスライド部４４は、図６に示すように、切欠部１４の内側面１４ａに沿って摺動可能に配置されている。リアスライドカバー４０は、一対のスライド部４４が切欠部１４の内側面１４ａに沿って上下方向に摺動することにより、ケース本体１０の上下方向にスライド可能とされている。
【００２９】
このように、リアスライドカバー４０は、ケース本体１０の背面側において上下方向にスライド可能に取り付けられている。タンク収納室１３は、リアスライドカバー４０が上側にスライド移動することにより開放され、リアスライドカバー４０が下側にスライド移動することにより閉塞される。リアスライドカバー４０は、そのスライド移動によりタンク収納室１３を開閉可能であれば、その具体的な構成について特に限定しない。
【００３０】
ストッパ片４５は、切欠部１４内からケース本体１０の内部まで突出して設けられている。ストッパ片４５は、リアスライドカバー４０の上側へのスライド移動によりケース本体１０の内壁面１０ｄに係合される。ストッパ片４５がケース本体１０の内壁面１０ｄに係合されることにより、リアスライドカバー４０の上側へのスライド移動が規制される。
【００３１】
リアスライドカバー４０は、図５に示すように、ストッパ片４５がケース本体１０に対する係合位置にあるときに、そのストッパ片４５を回動軸として回動可能に構成されている。これにより、タンク収納室１３に対するリアスライドカバー４０の開度が大きくなり、リアスライドカバー４０を取り外すことなくタンク収納室１３の液体注入口３１から液体Ｗを容易に注入することが可能となる。
【００３２】
弾性栓４１は、タンク収納室１３に対してリアスライドカバー４０が閉位置にあるときに、液体タンク３０の液体注入口３１に挿入される。このとき、弾性栓４１は液体注入口３１に弾性的に圧接される。これにより、弾性栓４１によって液体注入口３１が水密に閉塞され、噴霧装置１の携帯時、使用時の向きによらず、液体タンク３０内の液体の液体注入口３１からの漏洩を防止することが可能となる。特に、第１実施形態において、弾性栓４１は、その先端側に向かうにつれて先細り状に形成されるテーパー状外周面４１ａを有しており、液体注入口３１に挿入されたときの水密性の向上を図ることが可能となる。
【００３３】
弾性栓４１は、タンク収納室１３に対してリアスライドカバー４０が閉位置にある状態から、そのリアスライドカバー４０が上側にスライド移動したときに液体注入口３１から抜き出され、下側にスライド移動したときに液体注入口３１に差し込まれる。即ち、弾性栓４１は、リアスライドカバー４０のスライド移動により、液体注入口３１に対して抜き差し可能とされている。
【００３４】
ロック爪５０は、ケース本体１０の背面から突出した押圧部５１を有しており、押圧部５１を押圧することによりロック爪５０をケース本体１０の前方に向けて押し込み可能とされている。ケース本体１０には、押し込み後のロック爪５０を初期位置に向けて付勢するスプリング等からなる付勢部材５３が設けられている。
【００３５】
ロック爪５０は、タンク収納室１３に対してリアスライドカバー４０が閉位置にあるときに、そのリアスライドカバー４０の係止片４３に上側から係合される爪係合部５５を有している。ロック爪５０の爪係合部５５がリアスライドカバー４０の係止片４３に係合されることにより、リアスライドカバー４０のスライド移動がロックされる。このように、ロック爪５０は、タンク収納室１３に対してリアスライドカバー４０が閉位置にあるときに、リアスライドカバー４０のスライド移動をロック可能とするものであるが、その構成については特に限定するものではない。
【００３６】
リアスライドカバー４０は、ロック爪５０の押圧部５１を押し込むことにより、ロック爪５０の爪係合部５５の係止片４３に対する係合が解除され、ケース本体１０に対してスライド自在となる。これにより、タンク収納室１３を開放するときに、ロック爪５０のロック解除操作とリアスライドカバー４０のスライド操作とを同時に行う必要が生じることになり、携帯時の誤動作によるリアスライドカバー４０の開放を効果的に防止することが可能となる。
【００３７】
ロック爪５０によるロックを解除してリアスライドカバー４０を上側にスライド移動させた後、ロック爪５０は、ロック爪５０の押圧部５１の押圧動作を解除することにより、付勢部材５３によって初期位置に押し戻される。この後、リアスライドカバー４０を下側にスライド移動させたとき、ロック爪５０の爪係合部５５の上面に形成された傾斜面５７にリアスライドカバー４０の係止片４３が接触し、リアスライドカバー４０のスライド移動に伴いロック爪５０が押し込まれる。そして、リアスライドカバー４０の係止片４３がロック爪５０の爪係合部５５より下側までスライド移動した時点で、ロック爪５０が付勢部材５３によって初期位置に押し戻され、リアスライドカバー４０のスライド移動がロック爪５０によりロックされる。
【００３８】
超音波振動板２１は、電力を供給することにより超音波振動可能に構成されているものである。超音波振動板２１は、図３（ｂ）に示すように、その板厚方向に穿孔された複数の細孔２２が設けられている。超音波振動板２１が超音波振動することにより、液体供給口１９から流路１７を通ってその片面側にまで流れてきて超音波振動板２１に接触している液体がミスト化し、複数の細孔２２を通して他面側からそのミスト化された液体が放射状に噴霧される。細孔２２は、ミスト化する前の液体のその内側の通過を防ぎつつ、ミスト化した液体がその内側を通過可能な大きさに形成されるものであり、例えば、その直径が１μｍ〜２０μｍに形成される。超音波振動板２１は、第１実施形態において、電池収納室カバー２７内の図示しない電池収納室に装着された電池から供給される電力により駆動可能とされているが、その電力供給源は特に限定しない。超音波振動板２１に供給される電力は、第１実施形態において、フロントスライドカバー１１のスライド移動によりオン／オフ制御するように構成されており、噴霧装置１が伸長した状態となるまでスライドさせることにより超音波振動板２１に電力が供給される。超音波振動板２１に対する電力供給のためのオン／オフ制御は、これに限定されるものではなく、例えば、ボタン操作によるものであってもよい。
【００３９】
以上の携帯型噴霧装置１によれば、リアスライドカバー４０のスライド移動によりタンク収納室１３を開閉する構成としているので、リアカバー１４０を回動動作することによりタンク収納室１３を開閉する場合と比較して、タンク収納室１３の開度を大きくし難い構成となっており、液体タンク３０内の液体が携帯型噴霧装置１の外部に誤動作により漏洩し難くすることが可能となる。
【００４０】
また、リアスライドカバー４０のスライド移動により液体タンク３０の液体注入口３１に対して弾性栓４１が抜き差し可能とされているので、リアスライドカバー４０がケース本体１０に対して若干量のスライド動作をしたとしても、弾性栓４１の上下方向長さをある程度長めにしておくことにより、弾性栓４１による液体注入口３１に対する開度を小さいままとしておくことができ、液体の漏洩を防止し易くすることが可能となる。
【００４１】
以上、本考案の実施形態について詳細に説明したが、前述した実施形態は、何れも本考案を実施するに当たっての具体化の例を示したものに過ぎず、これらによって本考案の技術的範囲が限定的に解釈されてはならないものである。
【００４２】
例えば、リアスライドカバー４０は、スライド移動によりケース本体１０から分離可能に構成されていてもよい。また、リアスライドカバー４０は上面カバー部４０ｂを必須の構成要件とするものではない。
【符号の説明】
【００４３】
１      携帯型噴霧装置
１０    ケース本体
１０ａ  前面
１０ｂ  背面
１０ｃ  内壁面
１０ｄ  内壁面
１１    フロントスライドカバー
１３    タンク収納室
１４    切欠部
１５    ミスト噴霧口
１７    流路
１９    液体供給口
２１    超音波振動板
２２    細孔
２３    環状パッキン
２３ａ  環状溝
２５    パッキン係合片
２７    電池収納室カバー
３０    液体タンク
３０ａ  タンク上壁面
３０ｂ  前面
３１    液体注入口
３３    液体吐出口
４０    リアスライドカバー
４０ａ  背面カバー部
４０ｂ  上面カバー部
４０ｃ  内壁面
４１    弾性栓
４１ａ  テーパー状外周面
４３    係止片
４４    スライド部
４５    ストッパ片
５０    ロック爪
５１    押圧部
５３    付勢部材
５５    爪係合部
５７    傾斜面
Ｗ      液体
【図１】
0003169921.tif 000003
【図２】
0003169921.tif 000004
【図３】
0003169921.tif 000005
【図４】
0003169921.tif 000006
【図５】
0003169921.tif 000007
【図６】
0003169921.tif 000008
【図７】
0003169921.tif 000009
【図８】
0003169921.tif 000010